(57)【要約】【課題】意匠性とともに施工性をも向上させることを可能とする跳ねだし構造物及びその構築方法を提供すること。【解決手段】本発明に係る跳ねだし構造物は、貫通孔２を有するＲＣ壁１と、前記貫通孔２に差し込まれる差し込み体４と、前記貫通孔２の内壁面と前記差し込み体４との隙間に充填された充填体６とを具備する。前記差し込み体４は、前記ＲＣ壁の表側から突出し、前記ＲＣ壁１の裏側には、前記差し込み体４に接合され、該ＲＣ壁１の裏側に沿って延びるプレート５が配置されている。【選択図】図２
2019210630.tif 000002
【特許請求の範囲】
【請求項１】
貫通孔を有するＲＣ壁と、
前記貫通孔に差し込まれる差し込み体と、
前記貫通孔の内壁面と前記差し込み体との隙間に充填された充填体とを具備する跳ねだし構造物。
【請求項２】
前記差し込み体は、前記ＲＣ壁の表側から突出し、
前記ＲＣ壁の裏側には、前記差し込み体に接合され、該ＲＣ壁の裏側に沿って延びるプレートが配置されている請求項１に記載の跳ねだし構造物。
【請求項３】
跳ねだし階段である請求項１または２に記載の跳ねだし構造物。
【請求項４】
請求項１〜３の何れか一項に記載の跳ねだし構造物の構築方法であって、
前記ＲＣ壁の打設時に、前記貫通孔を形成するためのスリーブを設置し、
脱型後、前記ＲＣ壁の表側に突出するように前記貫通孔に前記差し込み体が差し込まれ、前記ＲＣ壁の裏側にプレートが固定され、かつ、前記差し込み体と前記プレートとが接合された状態となるようにし、
前記貫通孔の内壁面と前記差し込み体との隙間に充填体を充填する跳ねだし構造物の構築方法。
【発明の詳細な説明】
【技術分野】
【０００１】
本発明は、例えばささら桁を持たない跳ねだし階段等の跳ねだし構造物及びその構築方法に関する。
【背景技術】
【０００２】
外観をすっきりさせ意匠性を向上させたいといった理由等により、跳ねだし階段にささら桁を持たせないようにするには、それなりの工夫が必要になる。例えば、特許文献１には、複数個の踏板のそれぞれを、踏板の一端部から他端部方向に該踏板の全長の１／２以内の位置で、踏板支持体により下方から支持し、さらに踏板支持体を第１被覆パネルで隠ぺいする階段構造が開示されている。
【先行技術文献】
【特許文献】
【０００３】
【特許文献１】特開２００６−１３２２４０号公報
【発明の概要】
【発明が解決しようとする課題】
【０００４】
しかし、上記階段構造では、階段状の踏板支持体や第１被覆パネルを用いることから、その施工が複雑化する問題がある。
【０００５】
また、ＲＣ壁（ＲＣ外壁）に支持される跳ねだし階段（外部跳ねだし階段）にささら桁を持たせないようにする場合には、ＲＣ壁の打設時に鉄骨階段自体を跳ねだしのまま躯体打ち込みとすることが考えられるが、この方法には、型枠が複雑になり、打設時に精度が確保しづらいという欠点がある。
【０００６】
なお、以上は、跳ねだし階段に限らず、他の跳ねだし構造物についても同様である。
【０００７】
本発明は、意匠性とともに施工性をも向上させることを可能とする跳ねだし構造物及びその構築方法を提供することを目的とする。
【課題を解決するための手段】
【０００８】
上記目的を達成するために、本発明に係る跳ねだし構造物は、貫通孔を有するＲＣ壁と、前記貫通孔に差し込まれる差し込み体と、前記貫通孔の内壁面と前記差し込み体との隙間に充填された充填体とを具備する（請求項１）。
【０００９】
上記跳ねだし構造物において、前記差し込み体は、前記ＲＣ壁の表側から突出し、前記ＲＣ壁の裏側には、前記差し込み体に接合され、該ＲＣ壁の裏側に沿って延びるプレートが配置されていてもよい（請求項２）。
【００１０】
上記跳ねだし構造物は、跳ねだし階段とすることができる（請求項３）。
【００１１】
一方、本発明に係る跳ねだし構造物の構築方法は、請求項１〜３の何れか一項に記載の跳ねだし構造物の構築方法であって、前記ＲＣ壁の打設時に、前記貫通孔を形成するためのスリーブを設置し、脱型後、前記ＲＣ壁の表側に突出するように前記貫通孔に前記差し込み体が差し込まれ、前記ＲＣ壁の裏側にプレートが固定され、かつ、前記差し込み体と前記プレートとが接合された状態となるようにし、前記貫通孔の内壁面と前記差し込み体との隙間に充填体を充填する（請求項４）。
【発明の効果】
【００１２】
本願発明では、意匠性とともに施工性をも向上させることを可能とする跳ねだし構造物及びその構築方法が得られる。
【００１３】
すなわち、本願の各請求項に係る発明の跳ねだし構造物では、ＲＣ壁において差し込み体が位置する側に、ささら等の支持金物を一切露出させないようにすることができ、部材点数を減らし、施工性さらには意匠性の向上を図ることが可能となる。また、貫通孔の内寸に余裕を持たせておき、充填体の充填により差し込み体をＲＣ壁に一体化することができるので、この点でも施工性が向上し、精度確保し易い納まりとなる。
【００１４】
請求項２に係る発明の跳ねだし構造物では、プレートにより、差し込み体の姿勢を安定させ、施工性の向上を図ることができる。
【００１５】
請求項３に係る発明の跳ねだし構造物では、ささら桁の無いすっきりした外観の階段を、精度良く比較的簡便に構築することができる。
【００１６】
請求項４に係る発明の跳ねだし構造物の構築方法では、請求項１〜３の跳ねだし構造物を、施工性良く構築することができる。
【図面の簡単な説明】
【００１７】
【図１】本発明の一実施の形態に係る跳ねだし階段の構成を概略的に示す斜視図である。
【図２】（Ａ）〜（Ｄ）は前記跳ねだし構造物の構築方法の説明図であり、（Ｅ）は（Ｄ）の跳ねだし構造物を表側からみた説明図である。
【図３】（Ａ）は本発明の変形例に係る庇支持構造の構成を概略的に示す縦断面図、（Ｂ）は（Ａ）のＢ−Ｂ線切断図である。
【図４】（Ａ）は本発明の変形例に係る鋼製床支持構造の構成を概略的に示す縦断面図、（Ｂ）は（Ａ）のＢ−Ｂ線切断図である。
【図５】（Ａ）は本発明の変形例に係るサイン支持構造の構成を概略的に示す縦断面図、（Ｂ）は（Ａ）のＢ−Ｂ線切断図である。
【発明を実施するための形態】
【００１８】
本発明の実施の形態について図面を参照しながら以下に説明する。
【００１９】
図１に示す跳ねだし階段は、ささら桁及び蹴込板を持たず、ＲＣ壁（ＲＣ外壁）に構築された鉄骨階段である。この跳ねだし階段の構成の説明を兼ねて、その構築方法について以下に説明する。
【００２０】
（１）まず、ＲＣ壁（ＳＲＣ壁を含む）１の打設時に、貫通孔２を形成するためのスリーブ３を設置しておく（図２（Ａ）参照）。なお、型枠を外し易くするために、スリーブ３の断面寸法を一方（本例では屋外側）に向かって漸次縮小させてあるが、さらに本例では、雨水侵入をより確実に防ぐため、形成後の貫通孔２の下部（下面）が、ＲＣ壁１の屋外側（外面側）に向かって低くなる（傾斜する）ように構成している。
【００２１】
（２）脱型後、ＲＣ壁１の表側に突出するように貫通孔２に差し込み体４を差し込み、ＲＣ壁１の裏側にプレート５を固定するとともに、差し込み体４とプレート５とが接合された状態となるようにする（図２（Ｂ）及び（Ｃ）参照）。
【００２２】
ここで、図２（Ｃ）に示すように、本例では、水平方向に適宜の間隔をおいて位置する二つの貫通孔２をペアにしてＲＣ壁１に段状に配置するのであり、ペアの貫通孔２、２に各々差し込まれる差し込み体４も二本一組となり、各組の差し込み体４はそれぞれ一枚のプレート５に固定される（図２（Ｅ）参照）。
【００２３】
差し込み体４は、ＲＣ壁１の表側から大きく突出し、裏側からは突出しないか小さく突出する状態となるようにする。
【００２４】
差し込み体４とプレート５との接合は、溶接等により分離不能に行っても、ボルト締め等により分離可能に行ってもよい。差し込み体４とプレート５とを分離可能としておくと、施工後にプレート５を撤去することができ、この場合、ＲＣ壁１の裏側の意匠性を確保するのも容易となる。
【００２５】
ＲＣ壁１に対するプレート５の固定は、例えば図外のアンカーボルト等を用いて行えばよく、このとき、ＲＣ壁１の裏側に沿って延びるようにプレート５を固定する。
【００２６】
（３）貫通孔２の内壁面と差し込み体４との隙間に充填体（本例では無収縮モルタル）６を充填する。ここで、本例では、充填した充填体（充填剤）が硬化するまでは、プレート５の支持によって差し込み体４の位置を保つ必要があり、そのためにはプレート５の踏ん張りを利かす（抵抗のスタンスを大きくする）ことが有効であるとの観点から、プレート５を貫通孔２の上方に大きく延ばしてある（プレート５において貫通孔２から下方へのはみ出し代より上方へのはみ出し代を大きくしてある）。
【００２７】
（４）貫通孔２と差し込み体４との隙間にＲＣ壁１の表側からシールを施し、止水性を確保する。なお、図２（Ｄ）において、７，８はシール材である。
【００２８】
以上の手順により、ＲＣ壁１（ＲＣ躯体）により支持されたささら桁の無い跳ねだし鉄骨階段を実現できる。つまり、本例において、差し込み体４は踏板支持材であり、二本一組の差し込み体４に図外の踏板、さらに必要に応じて化粧部材、手すり９等を装着することにより、図１に示す階段を構成する。なお、踏板の装着等を考慮して、差し込み体４にはボルト穴等を予め形成しておけばよい。
【００２９】
そして、本例の各構成部材は、使用環境等を考慮して、適宜の強度、耐候性等を有するものを用いればよい。
【００３０】
本例の跳ねだし階段では、ＲＣ壁１において差し込み体４が位置する側（突出する表側）に、ささら桁等の支持金物を一切露出させないようにすることができ、部材点数を減らし、施工性さらには意匠性の向上を図ることが可能となる。
【００３１】
また、貫通孔２の内寸に余裕を持たせておき、充填体６の充填により差し込み体４をＲＣ壁１に一体化することができるので、この点でも施工性が向上し、精度確保し易い納まりとなる。
【００３２】
さらに、プレート５を用いることにより、施工途中における差し込み体４の姿勢を安定させ、この点でも施工性の向上を図ることができる。
【００３３】
そして、以上の効果が相俟って、本例の跳ねだし階段は、ささら桁の無いすっきりした外観を呈するものでありながら、精度良く比較的簡便に構築することができる。特に、この跳ねだし階段を屋外に突出するように設ける場合でも、室内側から容易に施工することができる。
【００３４】
なお、本発明は、上記の実施の形態に何ら限定されず、本発明の要旨を逸脱しない範囲において種々に変形して実施し得ることは勿論である。例えば、以下のような変形例を挙げることができる。
【００３５】
貫通孔２、差し込み体４は、それぞれ二つ一組でなく、一つ単位あるいは三つ以上を一組にして設けるようにしてもよい。また、各組を構成する貫通孔２、差し込み体４の位置関係は、相互に水平方向に離れているものに限らず、例えば上下方向に離れていてもよい。
【００３６】
また、意匠性等の点で問題なければ、蹴込板やささら桁を設けるようにしてもよく、さらに、上記跳ねだし階段の構成及び構築方法は、屋外に限らず、屋内にも適用可能である。
【００３７】
そして、上記の納まりは、跳ねだし（片持ち）の庇、鋼製床、サイン等、他の跳ねだし構造物にも適用可能な汎用性を有する。
【００３８】
上記の納まりを跳ねだしの庇に適用した例を図３（Ａ）及び（Ｂ）に示す。この例では、ＲＣ壁１から突出する二本一組の差し込み体４を、水平方向に適宜の間隔で設け、各組の差し込み体４に支持材１０を保持させ、隣り合う二つの支持材１０によって一つの庇材１１を支持させてある。
【００３９】
上記の納まりを跳ねだしの鋼製床に適用した例を図４（Ａ）及び（Ｂ）に示す。この例では、ＲＣ壁１から突出する差し込み体４を、水平方向に適宜の間隔で設け、複数の差し込み体４にわたって歩行床材１２を架設してある。なお、図４（Ｂ）において、１３は歩行床固定部材である。
【００４０】
上記の納まりを跳ねだしのサイン（外壁）に適用した例を図５（Ａ）及び（Ｂ）に示す。この例では、ＲＣ壁１から突出する差し込み体４の先端に大径部１４を設けるとともに、この差し込み体４の胴部にサイン部材１５を巻き付けてある。
【００４１】
なお、本明細書で挙げた上記変形例どうしを適宜組み合わせてもよいことはいうまでもない。
【符号の説明】
【００４２】
１    ＲＣ壁
２    貫通孔
３    スリーブ
４    差し込み体
５    プレート
６    充填体
７    シール材
８    シール材
９    手すり
１０    支持材
１１    庇材
１２    歩行床材
１３    歩行床固定部材
１４    大径部
１５    サイン部材
【図１】
2019210630.tif 000003
【図２】
2019210630.tif 000004
【図３】
2019210630.tif 000005
【図４】
2019210630.tif 000006
【図５】
2019210630.tif 000007